(57)【要約】  歩行時における、着用者の足首の振れを抑制し、内反捻挫を防止すると共に、着用者による安定した歩行をサポートして、着用者の足の疲労を軽減することができるソックスを提供する。ソックス１０は、筒状編地における着用者の爪先に対応する爪先成形部分である爪先部１ｂと、筒状編地における着用者の踵に対応するかかと成形部分であるかかと部１ａと、柔軟部５を除く身部２並びに爪先部１ｂ及びかかと部１ａを除く足部１として編成され、当該着用者の距腿関節を支持するフィギュアエイト部４と、フィギュアエイト部４における、爪先部１ｂに一端が連結され、柔軟部５に他端が連結され、筒状編地の正面側に延在する保持部４ａと、フィギュアエイト部４における、保持部４ａを除く編地であり、身部２及び足部１にかけて保持部４ａ及びかかと部１ａ間で連続する支持部４ｃと、を備え、筒状編地の長さ方向における支持部４ｃの伸縮抵抗が、筒状編地の長さ方向における保持部４ａの伸縮抵抗より大きい。
2011090191.tif 000002
【特許請求の範囲】
【請求項１】
丸編で編み立てられる筒状編地からなり、少なくとも身部及び足部を備えたフートウェアにおいて、
前記筒状編地における着用者の爪先に対応する爪先成形部分である爪先部と、
前記筒状編地における前記着用者の踵に対応するかかと成形部分であるかかと部と、
前記身部の一部並びに前記爪先部及びかかと部を除く前記足部として編成され、当該着用者の距腿関節を支持するフィギュアエイト部と、
前記フィギュアエイト部における、前記爪先部に一端が連結され、当該フィギュアエイト部を除く前記身部に他端が連結され、前記筒状編地の正面側に延在する保持部と、
前記フィギュアエイト部における、前記保持部を除く編地であり、前記身部及び足部にかけて前記保持部及びかかと部間で連続する支持部と、
を備え、
前記筒状編地の長さ方向における前記支持部の伸縮抵抗が、前記筒状編地の長さ方向における前記保持部の伸縮抵抗より大きいことを特徴とするフートウェア。
【請求項２】
前記請求項１に記載のフートウェアにおいて、
前記筒状編地における前記身部と前記かかと部との境界に編成される第１の緩衝部を備え、
前記筒状編地の長さ方向における前記第１の緩衝部の伸縮抵抗が、前記筒状編地の長さ方向における前記かかと部の伸縮抵抗より大きく、前記筒状編地の長さ方向における前記支持部の伸縮抵抗より小さいことを特徴とするフートウェア。
【請求項３】
前記請求項１又は２に記載のフートウェアにおいて、
前記保持部が、前記爪先部側で編み立てを異ならせ、当該編み立てを異ならせた領域における前記筒状編地の長さ方向の伸縮抵抗を、当該保持部における他の領域の伸縮抵抗より小さくした第２の緩衝部と、
前記保持部が、口ゴム部側で編み立てを異ならせ、当該編み立てを異ならせた領域における前記筒状編地の長さ方向の伸縮抵抗を、当該身部における他の領域の伸縮抵抗より小さくした第３の緩衝部と、
を備え、
前記第２の緩衝部及び第３の緩衝部がメッシュ編地であることを特徴とするフートウェア。
【請求項４】
前記請求項１乃至３のいずれかに記載のフートウェアにおいて、
前記筒状編地の正面側の屈曲部分に周方向に延在されるシワ抑制部を備え、
前記筒状編地の長さ方向における前記シワ抑制部の伸縮抵抗が、前記筒状編地の長さ方向における前記保持部の伸縮抵抗より小さいことを特徴とするフートウェア。
【請求項５】
前記請求項１乃至４のいずれかに記載のフートウェアにおいて、
前記保持部が、鹿の子編と挿入編とを併用した編地であり、
前記支持部が、リブ編と添え糸編と挿入編とを併用した編地で編成され、当該リブ編におけるウェール方向のリブ目が前記身部及び足部に連続して形成されることを特徴とするフートウェア。
【発明の詳細な説明】
【技術分野】
【０００１】
この発明は、着用者の足の保護、保温又は装飾的な機能を果たすフートウェアに関し、特に、着用者の歩行性を高めたフートウェアに関するものである。
【背景技術】
【０００２】
従来の靴下は、伸縮強度の異なる編成領域を有し、着用時、踵骨隆起部を覆う領域に伸縮強度の強い編成に編上げた難伸縮性領域を設け、該領域に隣接する踝側及び爪先側に夫々周設した、前記難伸縮性領域より伸縮強度の弱い編成に編上げた準難伸縮性領域が、距骨の上部で連結してなる（例えば、特許文献１参照）。【０００３】
また、従来の靴下又は筒状の下肢用サポーターは、足部、足首部、及びふくらはぎ部を覆う靴下又は筒状の下肢用サポーターであって、踵骨及び／又は立方骨に対応する足底部から足首部側面までを覆う部分に伸縮性の補強部を一体的に設け、装着時に足首部からふくらはぎ部へと順次圧迫圧が小となる圧迫圧分布を設ける（例えば、特許文献２参照）。
【先行技術文献】
【特許文献】
【０００４】
【特許文献１】特開２００９−４１１６２号公報
【特許文献２】特開２００７−３３２４６９号公報
【発明の概要】
【発明が解決しようとする課題】
【０００５】
従来の靴下は、踵骨隆起部を覆う領域が難伸縮性領域であるために、歩行時に踵で着地する際の衝撃を難伸縮性領域で吸収することができず、着用者の足に負担が掛かるという課題があった。【０００６】
また、従来の靴下又は筒状の下肢用サポーターは、足アーチ補強部が足アーチを圧迫できるように足部周囲を覆う位置に設けられているのであるが、この足アーチは足根骨アーチであり、足アーチ補強部が中足骨アーチを圧迫できるように足部周囲を覆う位置に設けられていない。すなわち、従来の靴下又は筒状の下肢用サポーターは、スポーツ中のパフォーマンスアップ、下肢のむくみの予防や軽減等の疲労軽減のために使用するものであり、着用者の踵から親指に重心が移動する理想的な体重移動（３点歩行）において、体重支持に重要である外側縦アーチ及び内側縦アーチの形成をサポートするものではない。【０００７】
この発明は、上述のような課題を解決するためになされたもので、歩行時における足首の振れ及び衝撃を軽減して安定した歩行をサポートすることができるフートウェアを提供することを目的とする。
【課題を解決するための手段】
【０００８】
この発明に係るフートウェアにおいては、筒状編地における着用者の爪先に対応する爪先成形部分である爪先部と、筒状編地における着用者の踵に対応するかかと成形部分であるかかと部と、身部の一部並びに爪先部及びかかと部を除く足部として編成され、当該着用者の距腿関節を支持するフィギュアエイト部と、フィギュアエイト部における、爪先部に一端が連結され、当該フィギュアエイト部を除く身部に他端が連結され、筒状編地の正面側に延在する保持部と、フィギュアエイト部における、保持部を除く編地であり、身部及び足部にかけて保持部及びかかと部間で連続する支持部と、を備え、筒状編地の長さ方向における支持部の伸縮抵抗が、筒状編地の長さ方向における保持部の伸縮抵抗より大きいものである。
【発明の効果】
【０００９】
この発明に係るフートウェアにおいては、歩行時における、着用者の足首の振れを抑制して、内反捻挫を防止すると共に、着用者による安定した歩行をサポートして、着用者の足の疲労を軽減することができる。また、この発明に係るフートウェアにおいては、着用者の土踏まずを押上げ、内側縦アーチの形成及び足指（親指）による後方に蹴り出す力をサポートして、着用者の歩行性を高めることができる。
【図面の簡単な説明】
【００１０】
【図１】（ａ）は第１の実施形態に係るソックスの概略構成を示す正面図であり、（ｂ）は図１（ａ）に示すソックスの背面図であり、（ｃ）は図１（ａ）に示すソックスの左側面図であり、（ｄ）は図１（ａ）に示すソックスの右側面図であり、（ｅ）は図１（ａ）に示すソックスの平面図であり、（ｆ）は図１（ａ）に示すソックスの底面図である。
【図２】（ａ）は図１に示すソックスの見方を変えた正面図であり、（ｂ）は図２（ａ）に示すソックスの背面図であり、（ｃ）は図２（ａ）に示すソックスの左側面図であり、（ｄ）は図２（ａ）に示すソックスの右側面図であり、（ｅ）は図２（ａ）に示すソックスの平面図であり、（ｆ）は図２（ａ）に示すソックスの底面図である。
【図３】（ａ）は図１及び図２に示すソックスの着用状態を示す右側面図であり、（ｂ）は図１及び図２に示すソックスの着用状態を示す正面図であり、（ｃ）は図１及び図２に示すソックスの着用状態を示す右側後方からみた斜視図である。
【図４】（ａ）は立脚期の初期における腓腹筋による衝撃吸収作用を説明するための説明図であり、（ｂ）は立脚期の中期における下腿三頭筋による下腿前方制動を説明するための説明図であり、（ｃ）は立脚期の後期における下腿三頭筋による推進力作用を説明するための説明図である。
【図５】図２（ｄ）に示すソックスにおける伸長率の測定部位を説明するための説明図である。
【図６】（ａ）は第２の実施形態に係るソックスの概略構成を示す正面図であり、（ｂ）は図６（ａ）に示すソックスの背面図であり、（ｃ）は図６（ａ）に示すソックスの左側面図であり、（ｄ）は図６（ａ）に示すソックスの右側面図であり、（ｅ）は図６（ａ）に示すソックスの平面図であり、（ｆ）は図６（ａ）に示すソックスの底面図である。
【図７】（ａ）は図６に示すソックスの見方を変えた正面図であり、（ｂ）は図７（ａ）に示すソックスの背面図であり、（ｃ）は図７（ａ）に示すソックスの左側面図であり、（ｄ）は図７（ａ）に示すソックスの右側面図であり、（ｅ）は図７（ａ）に示すソックスの平面図であり、（ｆ）は図７（ａ）に示すソックスの底面図である。
【発明を実施するための形態】
【００１１】
フートウェアは、足袋、くつ下及び脚胖に分類され、さらに、くつ下を大別すると、足部のみからなるフートカバー類、口ゴム部、身部及び足部の三部位からなるソックス類、身部がソックスよりも著しく長いストッキング類、並びに上部にパンティ部が付いたタイツ及びパンティ・ストッキング類に分類することができる。
すなわち、フートウェアは、足部、必要に応じて身部、口ゴム部又はパンティ部を、適宜備えることで、それぞれの用途目的に合った足の衣服となる。
【００１２】
以下、本実施形態においては、足部１、身部２及び口ゴム部３を備えたソックス１０を例に挙げて説明するが、この三部位を備えたソックス１０に限られるものではなく、少なくとも足部１及び身部２を備えたフートウェアであればよい。
【００１３】
（本発明の第１の実施形態）
図１乃至図３において、本実施形態に係るソックス１０は、表糸、裏糸及びゴム糸を編糸とし、靴下編機（例えば、株式会社村田製作所製の編み機種「ラムダアンフィニー（針数：１４４本）」）により丸編で編み立てられる筒状編地のうち着用者の踵及び爪先に対応する部分を縫製加工してソックス形状とする構成である。
【００１４】
ソックス１０は、足部１、身部２及び口ゴム部３の三部に大別される。
足部１は、かかと成形部分であるかかと部１ａと、爪先成形部分である爪先部１ｂと、かかと部１ａ及び爪先部１ｂの成形線（ゴアライン）の先端を結ぶ線より上の部分である足甲部１ｃと、かかと部１ａ及び爪先部１ｂの成形線（ゴアライン）の先端を結ぶ線より下の部分である足底部１ｄとを備えている。
【００１５】
なお、本実施形態に係るかかと部１ａ及び爪先部１ｂは、編み目が連続して並び、表と裏の区別がある編地である平編で編成している。
【００１６】
また、本実施形態に係るかかと部１ａの形状は、Ｙヒールであり、ゴアラインの先を枝分かれさせることにより、ラージヒールに対してゴアラインが目立たないうえに、ノーマルヒールに対してかかと部１ａを大きくして、着用者の踵に対するホールド感を高めている。このように、かかと部１ａは、着用者の踵に対するホールド感を高めることで、後述するフィギュアエイト部４の位置ずれを抑制するアンカーとして機能する。
【００１７】
フィギュアエイト部４は、身部２の一部（後述する柔軟部５を除く身部２）並びに爪先部１ｂ及びかかと部１ａを除く足部１として編成され、着用者の距腿関節を支持するように、ソックス１０の長さ方向Ｌの伸びがソックス１０の周方向Ｈの伸びと比較して小さく編成して構成している。
【００１８】
このフィギュアエイト部４は、着用者の足関節を安定させ、歩行時における、着用者の足首の振れを抑制（ヒールロック）して、内反捻挫を防止すると共に、着用者による安定した歩行をサポートすることができるという作用効果を奏する。また、フィギュアエイト部４は、ソックス１０の周方向Ｈに伸びを持たせることで、着用者に対して適度なサポート感を生じさせる。
【００１９】
ここで、図４に示すように、立脚期（歩行中の足が接地している期間）の中期（図４（ｂ））から後期（図４（ｃ））にかけては、下腿三頭筋の働きが主である。
【００２０】
このため、フィギュアエイト部４は、着用者の踵骨からアキレス腱へのテーピング機能により、足関節の背屈制動を行ない、立脚期の中期から後期にかけての下腿への負担を軽減すると共に、立脚期の後期からの踏切り（歩行における推進力）の補助を行なうことができる。
【００２１】
また、フィギュアエイト部４は、足関節の背屈制動を補助することにより、着用者の重心を爪先立ち方向へ誘導し、着用者の歩行を補助することができる。また、フィギュアエイト部４は、着用者の足関節を安定させ、立脚期の初期（図４（ａ））における地面（床）からの衝撃を吸収するための補助をなすことができる。
【００２２】
特に、フィギュアエイト部４は、爪先部１ｂに一端が連結され、フィギュアエイト部４を除く身部２（後述する柔軟部５）に他端が連結され、ソックス１０の正面側に延在する保持部４ａを備えている。この保持部４ａは、ソックス１０の長さ方向Ｌにおける伸縮抵抗が、ソックス１０の長さ方向Ｌにおける足底部１ｄの伸縮抵抗より小さく編成されている。
【００２３】
また、フィギュアエイト部４は、ソックス１０における身部２とかかと部１ａとの境界に編成される第１の緩衝部４ｂを備えている。この第１の緩衝部４ｂは、ソックス１０の長さ方向Ｌにおける伸縮抵抗が、ソックス１０の長さ方向Ｌにおけるかかと部１ａの伸縮抵抗より大きく、ソックス１０の長さ方向Ｌにおける支持部４ｃ（第１の緩衝部４ｂに隣接するフィギュアエイト部４の他の編地）の伸縮抵抗より小さく編成されている。
【００２４】
なお、本実施形態に係る支持部４ｃは、図１乃至図３に示すように、フィギュアエイト部４における、保持部４ａを除く編地であり、身部２及び足部１にかけて保持部４ａ及びかかと部１ａ間で連続しており、かかと部１ａ、爪先部１ｂ、保持部４ａ、第１の緩衝部４ｂ及び後述する柔軟部５に囲まれた編地である。
【００２５】
また、本実施形態においては、保持部４ａ及び第１の緩衝部４ｂを鹿の子編と挿入編とを併用した編地（以下、鹿の子編・挿入編地と称す）とし、支持部４ｃをリブ編と添え糸編と挿入編とを併用した（以下、リブ編・添え糸編・挿入編地と称す）としている。
【００２６】
ここで、鹿の子編地とは、コース方向及びウェール方向に、平編とタック（あるコースで編み目を脱出させずに、その後のコースで複数ループを脱出させる組織）とが交互に、又は数コースごとに表れる編地である。このため、保持部４ａ及び第１の緩衝部４ｂには、平編とタックとを併用することで、編地の表面に隆起や透かし目を作ることができ、鹿の子のような網目柄が表れる。
【００２７】
なお、本実施形態に係る保持部４ａ及び第１の緩衝部４ｂ（鹿の子編・挿入編地）は、鹿の子編の編地中に編み目を作らずにゴム糸（パワーゴム）を編み込んだ挿入編からなる編地である。
【００２８】
また、リブ編地とは、たて方向に表目のウェールと裏目のウェールとが交互に並ぶ編み目で、本実施形態においては、３ウェール毎に表目と裏目とを配列した３×１の編地である。
【００２９】
また、リブ編・添え糸編地では、リブ編の地編糸の他に他の編糸（例えば、ウーリーナイロン糸）を添えて給糸することで、ソックス１０の長さ方向Ｌにおける支持部４ｃの伸縮を適度に抑えている。すなわち、リブ編・添え糸編地では、ソックス１０の長さ方向Ｌの伸びが周方向Ｈの伸びと比較して小さく編成されている。また、リブ編・添え糸編地では、支持部４ｃと他の編地との境界において他の編糸をカットしている（カットボス）。
【００３０】
なお、本実施形態に係る支持部４ｃ（リブ編・添え糸編・挿入編地）は、リブ編・添え糸編の編地中に編み目を作らずにゴム糸（パワーゴム）を編み込んだ挿入編からなる編地であり、保持部４ａ及び第１の緩衝部４ｂに対して、ソックス１０の長さ方向Ｌ及び周方向Ｈにおける伸縮抵抗が小さく編成されている。特に、支持部４ｃは、リブ編におけるウェール方向に畝ができるリブ目が、保持部４ａ及びかかと部１ａ間で身部２及び足部１に連続して形成されている。
【００３１】
したがって、足底部１ｄ（支持部４ｃ）をリブ編・添え糸編・挿入編地とし、足甲部１ｃ（保持部４ａ）を鹿の子編・挿入編地とすることにより、足甲部１ｃ（保持部４ａ）に対して、ソックス１０の長さ方向Ｌにおける足底部１ｄ（支持部４ｃ）の伸縮抵抗を大きくすることができる。
【００３２】
すなわち、素材に伸長を与えない状態から一定の伸長を与えた場合の張力をＦとして、ソックス１０の長さ方向Ｌにおける足底部１ｄの張力をＦL1dとし、ソックス１０の長さ方向Ｌにおける足甲部１ｃの張力をＦL1cとした場合に、足底部１ｄが足甲部１ｃと比較して、ソックス１０の長さ方向Ｌに強い締付力を持つような、ＦL1d＞ＦL1cという大小関係を有する。
【００３３】
このように、足底部１ｄは、ソックス１０の長さ方向Ｌの伸びを無くすことで、着用者の内側縦アーチ（踵骨、距骨、舟状骨、第１楔状骨、第１中足骨及び趾骨を構成骨とするアーチ）の形成をサポートして、着用者の土踏まずを押し上げると共に、離床時における足指（親指）による蹴り出しをサポートして、十分な力で地面を蹴ることができ、着用者にとって歩き易くなる。
【００３４】
また、第１の緩衝部４ｂを鹿の子編・挿入編地とし、支持部４ｃをリブ編・添え糸編・挿入編地とすることにより、支持部４ｃに対して、ソックス１０の長さ方向Ｌにおける第１の緩衝部４ｂの伸縮抵抗を小さくすることができる。
【００３５】
すなわち、ソックス１０の長さ方向Ｌにおける第１の緩衝部４ｂの張力をＦL4bとし、ソックス１０の長さ方向Ｌにおける支持部４ｃの張力をＦL4cとした場合に、第１の緩衝部４ｂが支持部４ｃと比較して、ソックス１０の長さ方向Ｌに弱い締付力を持つような、ＦL4c＞ＦL4bという大小関係を有する。
【００３６】
また、第１の緩衝部４ｂを鹿の子編・挿入編地とし、かかと部１ａを平編地とすることにより、かかと部１ａに対して、ソックス１０の長さ方向Ｌにおける第１の緩衝部４ｂの伸縮抵抗を大きくすることができる。
【００３７】
すなわち、ソックス１０の長さ方向Ｌにおけるかかと部１ａの張力をＦL1aとした場合に、第１の緩衝部４ｂがかかと部１ａと比較して、ソックス１０の長さ方向Ｌに強い締付力を持つような、ＦL4b＞ＦL1aという大小関係を有する。
【００３８】
このように、第１の緩衝部４ｂは、着用者のアキレス腱に対応する部分であって、身部２の背面側における支持部４ｃによる締付力が及ばない編地となり、フィギュアエイト部４による足首の締付力を維持しつつ、着用者のアキレス腱に対する締付を抑制して、痛みを緩和することができる。
【００３９】
また、フィギュアエイト部４は、ソックス１０の正面側の屈曲部分に周方向に延在されるシワ抑制部４ｄを備えている。このシワ抑制部４ｄは、ソックス１０の長さ方向Ｌにおける伸縮抵抗が、ソックス１０の長さ方向Ｌにおける保持部４ａの伸縮抵抗より小さく編成されている。
【００４０】
なお、本実施形態においては、シワ抑制部４ｄをメッシュ編と挿入編とを併用した編地（以下、メッシュ編・挿入編地と称す）としている。
ここで、メッシュ編地とは、通気性のよい編組織であり、生地を編成するときに、一時ある編み目を作らないで、次のコースを編むときに一緒に編み目を作り、メッシュ形態の編みでよく伸びる編地である。
【００４１】
また、本実施形態に係るシワ抑制部４ｄ（メッシュ編・挿入編地）は、メッシュ編の編地中に編み目を作らずにゴム糸（パワーゴム）を編み込んだ挿入編からなる編地である。
【００４２】
なお、フィギュアエイト部４は、リブ編・添え糸編・挿入編地と鹿の子編・挿入編地とからなる編地であるために、通常の靴下と比較して編地が厚くなり、ソックス１０の屈曲部分（着用者の足首の正面側）において円滑に屈曲せずに、しわが発生する。このしわの発生を防止するには、本来、ソックス１０の屈曲部分全体の編地を薄くするのがよいのであるが、ソックス１０の屈曲部分全体の編地を薄くすると、フィギュアエイト部４による足首の締付力を維持することができなくなる。
【００４３】
このため、シワ抑制部４ｄは、保持部４ａの一部にソックス１０の周方向Ｈに延在する編地とすることで、フィギュアエイト部４による足首の締付力を維持しつつ、ソックス１０の屈曲部分に生じるしわを逃すことができる。なお、図１においては、３つのシワ抑制部４ｄをソックス１０の長さ方向Ｌに並設した場合を示しているが、ソックス１０の屈曲部分におけるしわの発生を防止することができるのであれば、この数に限られるものではない。
【００４４】
柔軟部５は、身部２において、口ゴム部３及びフィギュアエイト部４により囲まれた編地であり、口ゴム部３と共に、後述するアメリブ編地で編成している。このアメリブ編地は、柔軟性のある編地であり、着用者の爪先に対する口ゴム部３及び身部２による挿入口を広げ、ソックス１０を履き易くすることができる。
【００４５】
ここで、浮き編地とは、編地の編成中に特定の針を不作動位置に置いてその針には編糸を給糸しないで前の編み目を保持するだけにして、この部分の編糸を編地の裏に真直に浮かした編地である。これに対し、アメリブ編地は、平編地に編み込んだゴム糸を３コースにつき１コースを飛ばして編成した浮き編地である。
【００４６】
したがって、柔軟部５をアメリブ編地とし、保持部４ａを鹿の子編・挿入編地とし、支持部４ｃをリブ編・添え糸編・挿入編地とすることにより、保持部４ａ及び支持部４ｃに対して、ソックス１０の周方向Ｈにおける柔軟部５の伸縮抵抗を小さくすることができる。
【００４７】
すなわち、ソックス１０の周方向Ｈにおける柔軟部５の張力をＦH5とし、ソックス１０の周方向Ｈにおける保持部４ａの張力をＦH4aとし、ソックス１０の周方向Ｈにおける支持部４ｃの張力をＦH4cとした場合に、柔軟部５が保持部４ａ及び支持部４ｃと比較して、ソックス１０の周方向Ｈに弱い締付力を持つような、ＦH4c＞ＦH4a＞ＦH5という大小関係を有する。
【００４８】
なお、本実施形態に係るソックス１０は、前述した各部位の編地により、ソックス１０の長さ方向Ｌにおける支持部４ｃの伸縮抵抗が、ソックス１０の長さ方向Ｌにおける保持部４ａの伸縮抵抗より大きい。また、ソックス１０の長さ方向Ｌにおける保持部４ａの伸縮抵抗が、ソックス１０の長さ方向Ｌにおける第１の緩衝部４ｂの伸縮抵抗とほぼ等しい。また、ソックス１０の長さ方向Ｌにおける保持部４ａ及び第１の緩衝部４ｂの伸縮抵抗が、ソックス１０の長さ方向Ｌにおける口ゴム部３の伸縮抵抗より大きい。さらに、ソックス１０の長さ方向Ｌにおける口ゴム部３の伸縮抵抗が、ソックス１０の長さ方向Ｌにおける柔軟部５の伸縮抵抗より大きい。また、ソックス１０の長さ方向Ｌにおける柔軟部５の伸縮抵抗が、ソックス１０の長さ方向Ｌにおけるシワ抑制部４ｄの伸縮抵抗より大きい。また、ソックス１０の長さ方向Ｌにおけるシワ抑制部４ｄの伸縮抵抗が、ソックス１０の長さ方向Ｌにおける爪先部１ｂの伸縮抵抗より大きい。また、ソックス１０の長さ方向Ｌにおける爪先部１ｂの伸縮抵抗が、ソックス１０の長さ方向Ｌにおけるかかと部１ａの伸縮抵抗とほぼ等しい。
【００４９】
したがって、本実施形態に係るソックス１０は、ソックス１０の長さ方向Ｌにおける張力Ｆにおいて、次式（１）に示す大小関係を満たすものである。ただし、次式（１）において、ＦL4aはソックス１０の長さ方向Ｌにおける保持部４ａの張力であり、ＦL3はソックス１０の長さ方向Ｌにおける口ゴム部３の張力であり、ＦL5はソックス１０の長さ方向Ｌにおける柔軟部５の張力であり、ＦL4dはソックス１０の長さ方向Ｌにおけるシワ抑制部４ｄの張力であり、ＦL1bはソックス１０の長さ方向Ｌにおける爪先部１ｂの張力である。
【００５０】
〔数１〕
ＦL4c（ＦL1d）＞ＦL4a（ＦL1c）≒ＦL4b＞ＦL3＞ＦL5＞ＦL4d＞ＦL1b≒ＦL4a・・・（１）
【００５１】
なお、本実施形態に係る爪先部１ｂは、平編であり、フィギュアエイト部４のような強い締付力を有しないために、着用者の足指の間を十分に開くことができ、足指による踏ん張りを利かすことができる。特に、本実施形態に係る爪先部１ｂは、指先が分かれていないのであるが、着用者の足の親指と親指以外の４つの指とを分けて爪先部１ｂに装着できるように、爪先部１ｂを２つに分割することで、歩行によるソックス１０の捩れや着用者の土踏まずに対する支持部４ｃの位置ずれを防止するためのアンカーとしての機能を持たせてもよい。
【００５２】
また、本実施形態に係る爪先部１ｂは、足部１の爪先部１ｂを２以上に分割し構成してもよいし、親指に限らずに１つの足指と他の４つの足指とを分割し構成してもよいし、複数の足指と他の複数の足指とを分割し構成してもよい。
【００５３】
なお、本実施形態においては、平編、リブ編、鹿の子編及びメッシュ編に用いられる地編糸として、綿５０％とエステル５０％とで配合され、太さ３２デニールの綿混糸であり、撚り本数１本及び編み本数２本からなる表糸と、太さ３０デニールのポリウレタンの芯糸に太さ７０デニールのナイロンの巻き糸を巻きつけたカバーリング・ヤーン（ＦＴＹ：filament twisted yarn）である裏糸とを用いているが、この材質に限られるものではない。
【００５４】
例えば、表糸としては、綿、毛(カシミヤ、ラム、アンゴラなど)、絹若しくは麻などの天然繊維、アクリルなどの化学繊維、又は吸汗、速乾若しくは体温調整機能を持つ素材などを、ソックス１０のコスト又は着用者のニーズに合わせて選択することが好ましい。また、裏糸としては、エステル若しくはＤＣＹ（double covered yarn）、又は抗菌、防臭若しくは消臭素材を、ソックス１０のコスト又は着用者のニーズに合わせて選択することが好ましい。
【００５５】
また、リブ編・添え糸編・挿入編地（支持部４ｃ）におけるウーリーナイロン糸（柄糸）は、太さ１００デニール、撚り本数２本及び編み本数２本からなる。
【００５６】
また、鹿の子編・挿入編地（保持部４ａ、第１の緩衝部４ｂ）、リブ編・添え糸編・挿入編地（支持部４ｃ）、メッシュ編・挿入編地（シワ抑制部４ｄ）及びアメリブ編地（柔軟部５、口ゴム部３）におけるゴム糸は、太さ３６０デニールのポリウレタンの芯糸に太さ７５デニールのポリエステルの巻き糸を巻きつけたカバーリング・ヤーン（例えば、オペロンテックス株式会社製「ＳＴ６８００」）である。
【００５７】
ここで、前述した編糸及び編地に従って製作したソックス１０の各部位（図５参照）に対して、ストレッチテスタ（引張荷重：４ｋｇ）により、伸長率（引き伸ばしたときの長さ（伸び寸法）と元の長さ（置き寸法）との差の、元の長さに対する百分率）を測定した結果を下表１に示す。
【００５８】
【表１】
2011090191.tif 000003
【００５９】
なお、表１における伸長率は、値が大きいほど編地が伸び易いことを示し、前述した式（１）における張力Ｆは、値が大きいほど編地が伸び難い（締付力が大きい）ことを示すために、伸長率の大小関係を示す不等号と張力Ｆの大小関係を示す不等号とは逆になる。
【００６０】
また、本実施形態に係るソックス１０においては、フィギュアエイト部４の編地を、リブ編又は鹿の子編によって編み目数を変化させ、また添え糸編及び／又は挿入編によって編地を補強することで、ソックス１０の長さ方向Ｌの伸びがソックス１０の周方向Ｈの伸びと比較して小さくなるように編成し構成している。これに対し、ポリエステル系、ポリアミド系、ポリウレタン系、ポリエチレン系（高密度、低密度）又はエチレン酢酸ビニル系などの種類の樹脂を含浸させた糸によって、フィギュアエイト部４の編地を編成し構成することで、リブ編、鹿の子編、添え糸編又は挿入編による編組織を用いることなく、ソックス１０の長さ方向Ｌの伸長率を縮小させることができ、同様の作用効果を奏することができる。
【００６１】
また、フィギュアエイト部４の編地に、伸びを防ぐための細幅の布地などでできたテープを縫付けることや、セロファン又はビニールなどのテープに接着剤を塗った粘着テープを貼り付けることでも、リブ編、鹿の子編、添え糸編又は挿入編による編組織を用いることなく、ソックス１０の長さ方向Ｌの伸長率を縮小させることができる。
【００６２】
また、フィギュアエイト部４の編地に、液体の樹脂を塗り、樹脂が空気に触れ酸化して固着させることや、薄膜状の樹脂を取り付けることや、液体の樹脂を噴霧器などで吹着け、樹脂が空気に触れ酸化して固着させることでも、リブ編、鹿の子編、添え糸編又は挿入編による編組織を用いることなく、ソックス１０の長さ方向Ｌの伸長率を縮小させることができる。
【００６３】
また、フィギュアエイト部４の編地を、接着剤を使用して樹脂加工を施す接着芯地としてもよい。この場合には、ポリエステル系、ポリアミド系、ポリウレタン系、ポリエチレン系（高密度、低密度）又はエチレン酢酸ビニル系などの種類の樹脂からなる接着樹脂を、ドット加工、パウダー加工、くもの巣加工又はフィルム加工などの加工方法によって、編地に塗布し、フラット型プレス機、ローラー型プレス機などによって加熱及び加圧処理を施すことで、編地に樹脂を固着させることができる。
【００６４】
以上のように、本実施形態に係るソックス１０においては、フィギュアエイト部４により、歩行時における、着用者の足首の振れを抑制し、内反捻挫を防止すると共に、着用者による安定した歩行をサポートして、着用者の足の疲労を軽減することができる。
【００６５】
また、本実施形態に係るソックス１０においては、足底部１ｄに支持部４ｃを備えることにより、着用者が意識せずに３点歩行を行ない、踵から外足、小指から親指という順に地面に足がつくことが実感でき、着用者の歩行姿勢が改善されることとなる。これに伴い、着用者の背筋が伸び、膝の痛みや腰の痛みも緩和される。
【００６６】
また、本実施形態に係るソックス１０においては、ソックス１０における身部２とかかと部１ａとの境界に編成される第１の緩衝部４ｂを備えることにより、フィギュアエイト部４による足首の締付力を維持しつつ、着用者のアキレス腱に対する締付を抑制して、痛みを緩和することができる。
【００６７】
さらに、本実施形態に係るソックス１０においては、保持部４ａにシワ抑制部４ｄを備えることにより、屈曲部分におけるしわの発生を防止して、しわにより着用者の皮膚を挟む等による痛みの発生を防止することができる。
【００６８】
特に、本実施形態に係るソックス１０においては、立脚期の初期における衝撃吸収及び立脚期の中期から後期にかけての推進力に寄与することができると共に、左右（内外反）の制動により足関節の安定性を得ることができるという作用効果を奏する。また、本実施形態に係るソックス１０においては、着用者の足関節を補助することにより、アキレス腱の疼痛、下腿三頭筋の疲労及び疼痛、並びに、足関節外側（靭帯）の疼痛を緩和するができるという作用効果を奏する。
【００６９】
（本発明の第２の実施形態）
図６（ａ）は第２の実施形態に係るソックスの概略構成を示す正面図であり、図６（ｂ）は図６（ａ）に示すソックスの背面図であり、図６（ｃ）は図６（ａ）に示すソックスの左側面図であり、図６（ｄ）は図６（ａ）に示すソックスの右側面図であり、図６（ｅ）は図６（ａ）に示すソックスの平面図であり、図６（ｆ）は図６（ａ）に示すソックスの底面図である。図７（ａ）は図６に示すソックスの見方を変えた正面図であり、図７（ｂ）は図７（ａ）に示すソックスの背面図であり、図７（ｃ）は図７（ａ）に示すソックスの左側面図であり、図７（ｄ）は図７（ａ）に示すソックスの右側面図であり、図７（ｅ）は図７（ａ）に示すソックスの平面図であり、図７（ｆ）は図７（ａ）に示すソックスの底面図である。図６及び図７において、図１乃至図３と同じ符号は、同一または相当部分を示し、その説明を省略する。
【００７０】
保持部４ａは、ソックス１０の爪先部１ｂ側で編み立てを異ならせ、当該編み立てを異ならせた領域におけるソックス１０の長さ方向Ｌの伸縮抵抗を、保持部４ａにおける他の領域の伸縮抵抗より小さくした、略台形形状の第２の緩衝部４ｅを備える。
【００７１】
また、保持部４ａは、ソックス１０の口ゴム部３（柔軟部５）側で編み立てを異ならせ、当該編み立てを異ならせた領域におけるソックス１０の長さ方向Ｌの伸縮抵抗を、保持部４ａにおける他の領域の伸縮抵抗より小さくした、略台形形状の第３の緩衝部４ｆを備える。
【００７２】
なお、本実施形態においては、保持部４ａにおける他の領域とは、シワ抑制部４ｄ、第２の緩衝部４ｅ及び第３の緩衝部４ｆを除く、鹿の子編・挿入編地である。また、本実施形態においては、第２の緩衝部４ｅ及び第３の緩衝部４ｆをメッシュ編地としている。
【００７３】
このように、保持部４ａを鹿の子編・挿入編地とし、支持部４ｃをリブ編・添え糸編・挿入編地とし、第２の緩衝部４ｅ及び第３の緩衝部４ｆをメッシュ編地とすることにより、保持部４ａ及び支持部４ｃに対して、ソックス１０の長さ方向Ｌにおける第２の緩衝部４ｅ及び第３の緩衝部４ｆの伸縮抵抗を小さくすることができる。
【００７４】
すなわち、ソックス１０の長さ方向Ｌにおける第２の緩衝部４ｅの張力をＦL4eとし、ソックス１０の長さ方向Ｌにおける第３の緩衝部４ｆの張力をＦL4fとした場合に、保持部４ａ及び支持部４ｃが第２の緩衝部４ｅ及び第３の緩衝部４ｆと比較して、ソックス１０の長さ方向Ｌに強い締付力を持つような、ＦL4c＞ＦL4a＞ＦL4e≒ＦL4fという大小関係を有する。
【００７５】
なお、この第２の実施形態においては、保持部４ａに第２の緩衝部４ｅ及び第３の緩衝部４ｆを新たに配設するところのみが第１の実施形態と異なるところであり、後述する第２の緩衝部４ｅ及び第３の緩衝部４ｆによる作用効果以外は、第１の実施形態と同様の作用効果を奏する。
【００７６】
第２の緩衝部４ｅは、足甲部１ｃにおける保持部４ａに対する爪先部１ｂ側の締付力を弱めることで、足底部１ｄによる着用者の土踏まずを押し上げる力を、足底部１ｄに対して鉛直上方ではなく、爪先部１ｂ側の斜め上方に作用させ、着用者の爪先が地面に対して鋭角で着地することを抑制して、着用者の歩行時のつまずきを防止することができる。
【００７７】
また、第３の緩衝部４ｆは、身部２の正面側における保持部４ａに対する締付力を弱め、柔軟部５側で保持部４ａ及び支持部４ｃが筒状編地を周回しないようにすることで、フィギュアエイト部４による足首の締付力を維持しつつ、着用者のアキレス腱に対する締付を抑制して、痛みを緩和することができる。
【００７８】
また、第２の緩衝部４ｅ及び第３の緩衝部４ｆは、これらに隣接する保持部４ａ及び支持部４ｃとの編地の強弱のコントラストを強調して、フィギュアエイト部４によるテーピング効果をより実感させるという作用効果を奏する。
【符号の説明】
【００７９】
１      足部
１ａ    かかと部
１ｂ    爪先部
１ｃ    足甲部
１ｄ    足底部
２      身部
３      口ゴム部
４      フィギュアエイト部
４ａ    保持部
４ｂ    第１の緩衝部
４ｃ    支持部
４ｄ    シワ抑制部
４ｅ    第２の緩衝部
４ｆ    第３の緩衝部
５      柔軟部
１０  ソックス
【図１】
2011090191.tif 000004
【図２】
2011090191.tif 000005
【図３】
2011090191.tif 000006
【図４】
2011090191.tif 000007
【図５】
2011090191.tif 000008
【図６】
2011090191.tif 000009
【図７】
2011090191.tif 000010
【国際調査報告】
2011090191.tif 000011
2011090191.tif 000012
2011090191.tif 000013
2011090191.tif 000014